(57)【特許請求の範囲】
【請求項１】
形鋼よりなり周囲が所定厚さの耐火材により被覆された耐火梁を備え、前記耐火梁に沿って、その耐火梁の下方に界壁部が設けられる建物の界壁構造であって、
前記耐火梁の下フランジに固定される吊り金具と、
前記吊り金具の下端部に固定され、前記界壁部の下地となる界壁下地フレームを支持する支持部材と、
を備え、
前記吊り金具は、前記下フランジの下側において前記耐火材よりも下方に突出しており、その突出部分であって前記耐火材から離れた位置に固定具により前記支持部材が固定されており、
前記吊り金具は、前記耐火梁の長手方向に所定間隔で複数固定されており、
前記支持部材は、前記耐火梁の長手方向に延びる長尺材を有し、その長尺材が、前記複数の吊り金具により吊り下げ支持されていることを特徴とする建物の界壁構造。
【請求項２】
形鋼よりなり周囲が所定厚さの耐火材により被覆された耐火梁を備え、前記耐火梁に沿って、その耐火梁の下方に界壁部が設けられる建物の界壁構造であって、
前記耐火梁の下フランジに固定される吊り金具と、
前記吊り金具の下端部に固定され、前記界壁部の下地となる界壁下地フレームを支持する支持部材と、
を備え、
前記吊り金具は、前記下フランジの下側において前記耐火材よりも下方に突出しており、その突出部分であって前記耐火材から離れた位置に固定具により前記支持部材が固定されており、
前記耐火梁には前記下フランジの幅方向に異なる位置に前記吊り金具として第１吊り金具及び第２吊り金具がそれぞれ固定されており、
前記界壁下地フレームは、前記界壁部の壁厚み方向に並べて配置される第１フレームと第２フレームとを含み、
前記第１吊り金具における前記突出部分に、前記支持部材として前記第１フレームを支持する第１支持部材が固定されるとともに、前記第２吊り金具における前記突出部分に、前記支持部材として前記第２フレームを支持する第２支持部材が固定されていることを特徴とする建物の界壁構造。
【請求項３】
前記下フランジの下側の前記耐火材よりも下方において、前記第１吊り金具及び前記第２吊り金具の間となる位置に、前記耐火梁の長手方向に沿って断熱材が設けられていることを特徴とする請求項２に記載の建物の界壁構造。
【請求項４】
形鋼よりなり周囲が所定厚さの耐火材により被覆された耐火梁を備え、前記耐火梁に沿って、その耐火梁の下方に界壁部が設けられる建物の界壁構造であって、
前記耐火梁の下フランジに固定される吊り金具と、
前記吊り金具の下端部に固定され、前記界壁部の下地となる界壁下地フレームを支持する支持部材と、
を備え、
前記吊り金具は、前記下フランジの下側において前記耐火材よりも下方に突出しており、その突出部分であって前記耐火材から離れた位置に固定具により前記支持部材が固定されており、
前記界壁部において耐火性のある壁面材が前記界壁下地フレームよりも上方に延び、その壁面材と前記下フランジの下側の前記耐火材とで連続的に耐火層が形成されており、
前記支持部材が前記壁面材の内側面に当接し、その状態で前記壁面材が前記支持部材により壁内側から支持されていることを特徴とする建物の界壁構造。
【請求項５】
形鋼よりなり周囲が所定厚さの耐火材により被覆された耐火梁を備え、前記耐火梁に沿って、その耐火梁の下方に界壁部が設けられる建物の界壁構造であって、
前記耐火梁の下フランジに固定される吊り金具と、
前記吊り金具の下端部に固定され、前記界壁部の下地となる界壁下地フレームを支持する支持部材と、
を備え、
前記吊り金具は、前記下フランジの下側において前記耐火材よりも下方に突出しており、その突出部分であって前記耐火材から離れた位置に固定具により前記支持部材が固定されており、
前記耐火梁は、建物の上階部の上階床梁であり、その上階床梁の上方に上階部の界壁部が設けられる建物に適用され、
前記耐火梁には、上フランジの上面にも前記耐火材が被覆されており、
前記吊り金具は、前記上フランジの上方において前記耐火材よりも上方に突出しており、その突出部分であって前記耐火材から離れた位置に、上階部の界壁下地フレームを支持する支持部材が固定具により固定されていることを特徴とする建物の界壁構造。
【請求項６】
集合住宅の上階部において前記界壁部を挟んで二住戸の各玄関部が設けられており、
前記玄関部の床構造として、前記上階床梁である前記耐火梁の両側に分断された状態で設けられる上階用の床面材と、その上面に設けられる土間部とを有しており、
前記耐火梁の上フランジの上面の前記耐火材は、前記分断された床面材に挟まれ、かつ当該床面材の側端面に接触した状態で設けられていることを特徴とする請求項５に記載の建物の界壁構造。
【発明の詳細な説明】
【技術分野】
【０００１】
本発明は、建物の界壁構造に関するものである。
【背景技術】
【０００２】
集合住宅においては住戸間に界壁部が存在し、その界壁部には所定の耐火性能が要求される。この場合、界壁部の納まりとして、界壁部に沿って延びる梁を、周囲に耐火材を被覆した耐火梁とするとともに、その耐火梁の下方に界壁部を構築する構成が知られている。
【０００３】
例えば、特許文献１に記載の技術では、金属製の梁の下面にランナ取り付け用の下地金物を取り付け、その下地金物の側面及び内部を含めて梁の外面を耐火被覆材を吹き付けた耐火被覆吹き付け層で被覆し、下地金物の耐火被覆材を吹き付けていない下面に上ランナを固定する構成としている。
【先行技術文献】
【特許文献】
【０００４】
【特許文献１】特開２００２−２０１７３５号公報
【発明の概要】
【発明が解決しようとする課題】
【０００５】
しかしながら、上記従来技術を含めて既存の技術では以下の問題が懸念される。すなわち、下面に下地金物が取り付けられた状態の梁に対して耐火被覆を施し、その後に下地金物に対して界壁下地フレーム（上ランナ）を取り付ける構成では、耐火被覆層の存在が支障となり、界壁下地フレームの高さ位置の調整等の作業が困難になることが考えられる。また、界壁部の施工作業中に下地金物の位置ずれが生じた場合に、その修正に手間がかかるといった不都合が生じる。特許文献１に記載の技術のように下地金物の下面が耐火被覆されていない場合には、その下面を用いることで界壁下地フレームの固定が容易になると考えられるものの、下地金物の下面以外が耐火被覆されているために梁の耐火被覆後に下地金物の高さ位置を変更することができず、高さ位置の調整を要する場合にその調整作業が困難となる。
【０００６】
本発明は、上記事情に鑑みてなされたものであり、界壁部の施工作業を容易かつ適正に実施することができる建物の界壁構造を提供することを主たる目的とするものである。
【課題を解決するための手段】
【０００７】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００８】
第１の発明は、
形鋼よりなり周囲が所定厚さの耐火材（１３）により被覆された耐火梁（１１）を備え、前記耐火梁に沿って、その耐火梁の下方に界壁部（３０）が設けられる建物の界壁構造であって、
前記耐火梁の下フランジ（１１ｃ）に固定される吊り金具（２１，５６）と、
前記吊り金具の下端部に固定され、前記界壁部の下地となる界壁下地フレーム（３１，３４）を支持する支持部材（２４）と、
を備え、
前記吊り金具は、前記下フランジの下側において前記耐火材よりも下方に突出しており、その突出部分であって前記耐火材から離れた位置に固定具（２７，２８）により前記支持部材が固定されていることを特徴とする。
【０００９】
上記構成では、耐火梁の下フランジに吊り金具が固定されるとともに、その吊り金具の下端部に、界壁下地フレームを支持する支持部材が固定されているため、その支持部材を用いての界壁部の構築が可能となる。また、耐火梁の下フランジに固定される吊り金具は、下フランジの下側において耐火材よりも下方に突出しており、その突出部分であって耐火材から離れた位置に固定具により支持部材が固定されるものであるため、耐火梁に対して耐火材が既に先付けされている状況であっても、耐火材に干渉することなく支持部材の固定作業を行うことができる。この場合、吊り金具において耐火材よりも下方に突出している突出部分を用いて、支持部材の高さ位置の調整等を容易に実施できる。その結果、界壁部の施工作業を容易かつ適正に実施することができる。
【００１０】
第２の発明は、前記吊り金具は、前記耐火梁の長手方向に所定間隔で複数固定されており、前記支持部材は、前記耐火梁の長手方向に延びる長尺材（２６）を有し、その長尺材が、前記複数の吊り金具により吊り下げ支持されていることを特徴とする。
【００１１】
上記構成では、耐火梁の長手方向に沿って長尺材が設けられ、その長尺材により界壁下地フレームが支持されることとなる。この場合、耐火梁に沿うようにして界壁部を好適に構築できる。
【００１２】
第３の発明は、前記耐火梁には前記下フランジの幅方向に異なる位置に前記吊り金具として第１吊り金具及び第２吊り金具がそれぞれ固定されており、前記界壁下地フレームは、前記界壁部の壁厚み方向に並べて配置される第１フレームと第２フレームとを含み、前記第１吊り金具における前記突出部分に、前記支持部材として前記第１フレームを支持する第１支持部材が固定されるとともに、前記第２吊り金具における前記突出部分に、前記支持部材として前記第２フレームを支持する第２支持部材が固定されていることを特徴とする。
【００１３】
耐火梁の下フランジにおいて幅方向に異なる位置にそれぞれ吊り金具（第１，第２吊り金具）が固定され、それら各々に支持部材（第１，第２支持部材）が固定されるとともに、支持部材ごとに界壁下地フレーム（第１，第２フレーム）が支持される構成とした。この場合、界壁部の下地を壁厚み方向に二重構造とすることで、界壁部の厚みを確保して遮音性の向上を図ることができる。また、厚み方向左右の界壁下地フレームごとに高さ位置の調整が可能となる。そのため、界壁部の厚み方向中心位置を境にして左右で床面材（下階側の床面材）の上面高さ位置が相違していても、それに好適に対処することができる。
【００１４】
第４の発明は、前記下フランジの下側の前記耐火材よりも下方において、前記第１吊り金具及び前記第２吊り金具の間となる位置に、前記耐火梁の長手方向に沿って断熱材（２９）が設けられていることを特徴とする。
【００１５】
耐火梁の下フランジの下側において耐火材よりも下方には、下フランジの幅方向に離れて第１吊り金具及び第２吊り金具がそれぞれ突出しており、その間に断熱材が配置される。この場合、界壁部において壁厚み方向の中心付近に断熱材を保持することができ、耐火梁周りの耐火材とその下方の界壁下地フレームとの間において断熱性能を好適に付与することができる。
【００１６】
第５の発明は、前記界壁部において耐火性のある壁面材（３７）が前記界壁下地フレームよりも上方に延び、その壁面材と前記下フランジの下側の前記耐火材とで連続的に耐火層が形成されており、前記支持部材が前記壁面材の内側面に当接し、その状態で前記壁面材が前記支持部材により壁内側から支持されていることを特徴とする。
【００１７】
界壁部において壁面材が界壁下地フレームよりも上方に延び、その壁面材と下フランジの下側の耐火材とで連続的に耐火層が形成されているため、界壁部における耐火性能を高めることができる。また、界壁部において壁面材を壁内側から支持部材により支持する構成にしたため、界壁下地フレームよりも上方の延出部を含めて壁面材を安定状態で支持することができる。
【００１８】
第６の発明は、前記耐火梁は、建物の上階部の上階床梁であり、その上階床梁の上方に上階部の界壁部（５３）が設けられる建物に適用され、前記耐火梁には、上フランジ（１１ｂ）の上面にも前記耐火材が被覆されており、前記吊り金具は、前記上フランジの上方において前記耐火材よりも上方に突出しており、その突出部分であって前記耐火材から離れた位置に、上階部の界壁下地フレーム（５４ａ，５４ｂ）を支持する支持部材（６１）が固定具により固定されていることを特徴とする。
【００１９】
上記構成では、耐火梁（上階床梁）を上下に貫通するように吊り金具が設けられ、吊り金具の下端側で下階部の界壁支持用の界壁下地フレームが支持されるとともに、上端側で上階部の界壁支持用の界壁下地フレームが支持されるようになっている。この場合、下階界壁部の支持と上階界壁部の支持とで１つの吊り金具を共用でき、構成の簡素化を図ることができる。
【００２０】
また、吊り金具の上端部は上フランジの上方において耐火材よりも上方に突出しており、その突出部分であって耐火材から離れた位置に固定具により支持部材が固定されるため、吊り金具の下端部と同様に、耐火梁に対して耐火材が既に先付けされている状況であっても、耐火材に干渉することなく支持部材の固定作業を行うことができる。
【００２１】
第７の発明は、集合住宅の上階部において前記界壁部を挟んで二住戸の各玄関部が設けられており、前記玄関部の床構造として、前記上階床梁である前記耐火梁の両側に分断された状態で設けられる上階用の床面材（１２）と、その上面に設けられる土間部（５２）とを有しており、前記耐火梁の上フランジの上面の前記耐火材は、前記分断された床面材に挟まれ、かつ当該床面材の側端面に接触した状態で設けられていることを特徴とする。
【００２２】
耐火梁（上階床梁）を挟んで両側に分断された状態で上階用の床面材が設けられる構成では、上階界壁部を構築する場合に界壁下地フレームの下端を床面材で支えることが不可となる。この点、吊り金具の上端側で上階部の界壁支持用の界壁下地フレームが支持されることで、床面材が分断された構成であっても上階部の界壁部を好適に施工できる。
【００２３】
また、耐火梁の上フランジの上面の耐火材が、分断された床面材に挟まれ、かつ床面材の側端面に接触した状態で設けられているため、床面材及び耐火材により水平方向に連続する耐火層を構築できる。
【図面の簡単な説明】
【００２４】
【図１】建物において界壁部分の納まりを示す縦断面図。
【図２】支持部材の構成を示す斜視図。
【図３】界壁部の内部構成を示す横断面図。
【図４】建物において上階玄関付近の界壁部の納まりを示す縦断面図。
【図５】別例において界壁部分の納まりを示す縦断面図。
【発明を実施するための形態】
【００２５】
以下、本発明を具体化した一実施形態を図面を参照しつつ説明する。本実施形態では、複数の住戸からなる集合住宅として具体化した建物において、住戸間に存在する界壁部の構成について詳しく説明する。建物は、鉄骨軸組工法により構築される多層階建物であり、形鋼を用いて建物の躯体が構成されている。
【００２６】
図１は、建物１０において界壁部３０の納まりを示す縦断面図である。図１に示すように、建物１０は、上階用の床梁１１を有しており、床梁１１により、耐火材質であるＡＬＣからなる床面材１２が支持されている。床梁１１はＨ形鋼からなる。床梁１１に沿って界壁部３０が設けられている。図１においては紙面直交方向に界壁部３０が延びるものとなっている。
【００２７】
床梁１１には、その周囲を囲むようにして所定厚さの耐火材１３が被覆されている。床梁１１が耐火梁に相当する。耐火材１３は、例えばシート状の耐熱ロックウールにより構成されており、横断面の一端側と他端側とがそれぞれ床面材１２の下面側に固定され、その間の中間部分にて床梁１１を囲むようにして設けられている。
【００２８】
また、下階天井の納まりとして、躯体（床梁等）に支持された状態で複数の天井吊り具１５が取り付けられ、その天井吊り具１５により野縁受け１６が支持されている。野縁受け１６は、床梁１１に平行になるとともに床梁１１に直交する向きに延びるよう設けられている。野縁受け１６には支持具としてのクリップ１７により野縁１８が支持されている。野縁１８は野縁受け１６に直交するように設けられている。そして、野縁１８の下面に石膏ボードからなる天井面材１９が固定されている。
【００２９】
次に、界壁部３０の支持構造を詳細に説明する。床梁１１は、ウェブ１１ａと上フランジ１１ｂと下フランジ１１ｃとを有しており、そのうち下フランジ１１ｃに吊り金具としての吊りボルト２１が固定されている。この場合、下フランジ１１ｃには、ウェブ１１ａを挟んで両側にそれぞれ貫通孔が形成されており、その貫通孔に挿通させた状態で吊りボルト２１が上下のナット２２，２３により固定されている（図２参照）。吊りボルト２１は、下フランジ１１ｃにおいて幅方向に異なる位置にそれぞれ固定されており、図の左右の吊りボルト２１が第１吊りボルト、第２吊りボルトに相当する。吊りボルト２１は、丸鋼の長さ方向の全てにねじが切られた全ねじボルトであり、そのねじによって固定相手の固定位置（固定高さ）の調整が可能となっている。吊りボルト２１は、床梁１１の長手方向に所定間隔で複数固定されている。
【００３０】
吊りボルト２１は、その上端部が下フランジ１１ｃに固定されるとともに、下端部が下フランジ１１ｃの下側において耐火材１３よりも下方に突出する突出部分となっている。そして、吊りボルト２１において耐火材１３よりも下方の突出部分に、界壁下地フレームを支持する支持部材２４が固定されている。
【００３１】
支持部材２４の構成を図２により詳しく説明する。図２に示すように、支持部材２４は、吊りボルト２１の下端部に固定されるブラケット２５と、床梁１１の長手方向に延び複数のブラケット２５に対して固定される通し材２６とを有している。
【００３２】
ブラケット２５は断面Ｌ字状をなし、上板部に吊りボルト２１が挿通状態で固定されるとともに、側板部にビス等の固定具により通し材２６が固定されている。通し材２６は角形鋼よりなる長尺材である。ブラケット２５は、上板部の貫通孔（図示略）に吊りボルト２１を挿通させた状態で、上下のナット２７，２８により吊りボルト２１に固定されている。この場合、ナット２７，２８の回動により、吊りボルト２１の長手方向におけるブラケット２５の位置が調整可能であり、ひいては、支持部材２４の高さ位置の調整が可能となっている。
【００３３】
床梁１１の下フランジ１１ｃにおいて、ウェブ１１ａを挟んで両側の吊りボルト２１にはそれぞれ支持部材２４が固定されており、図１において左右の通し材２６が隣合うように横並びで設けられている。
【００３４】
ここで特に、図１に示すように、吊りボルト２１において耐火材１３よりも下方に突出する突出部分に対して支持部材２４が固定されている。また、固定具としてのナット２７，２８を含め支持部材２４の全体が耐火材１３から下方に離れている。そのため、吊りボルト２１に対する支持部材２４の固定作業を容易に実施できる。また、ナット２７，２８による支持部材２４の高さ調整作業も同様に容易に実施できる。
【００３５】
ウェブ１１ａを挟んで両側の吊りボルト２１の間には、床梁１１の長手方向に延びるようにして断熱材２９が取り付けられている。断熱材２９は、図の左右の吊りボルト２１により挟まれた状態で保持されている。
【００３６】
そして、支持部材２４の通し材２６を上端側の支持部、下階側の床面材１４を下端側の支持部として界壁部３０が取り付けられている。なお、下階側の床面材１４は、界壁部３０の厚み方向中心位置を見切り位置として左右個別に設けられていることもある。
【００３７】
界壁部３０は、ランナ及びスタッドからなる界壁下地フレームが壁厚み方向に２列に設けられた構造を有している。詳しくは、界壁部３０は、一方の界壁下地フレーム３１（第１フレーム）として上ランナ３２ａ、下ランナ３２ｂ及びスタッド３３を有し、他方の界壁下地フレーム３４（第２フレーム）として上ランナ３５ａ、下ランナ３５ｂ及びスタッド３６を有している。各下地フレームの上端側について特に言うと、上ランナ３２ａ，３５ａはそれぞれ、通し材２６の下面に当接させた状態で、その通し材２６にビス等の固定具により固定されている。上記の各界壁下地フレーム３１，３４は、壁厚み方向の中央部にて互いに離間するように配置されており、各々外側に、耐火性を有する壁面材３７（例えば石膏ボード）が固定されている。
【００３８】
壁面材３７は、その上端部において耐火材１３に対して連続する耐火層を形成するものとなっている。この場合、壁面材３７の上端面と耐火材１３の下面との間にはこれら両者間の境界部における耐火性能を強化するためのシール材３８が充填されている。また、壁面材３７の下端面と床面材１４と間の隙間部分にはやはり境界部の耐火性能を強化するためのシール材３９が充填されている。上記構成によれば、上階側の床面材１２から下階側の床面材１４までの間において連続性が途切れることなく耐火層が構築されている。
【００３９】
界壁部３０の内部には、界壁下地フレーム３１，３４に固定された状態で断熱材４０が取り付けられており、図３には壁内部に配置された断熱材４０が示されている。断熱材４０は、例えばグラスウールよりなり、断熱性能、遮音性能、耐火性能を有する。ここで、壁内部においては、２つ界壁下地フレーム３１，３４の各スタッド３３，３６が壁面方向において互いに相違する位置に、すなわち壁面方向に見て千鳥状に配置されており、その各スタッド３３，３６に対して断熱材４０が固定されている。断熱材４０は、壁厚み方向において各スタッド３３，３６の間となる位置に設けられている。
【００４０】
壁厚み方向に見て各スタッド３３，３６の間の離間距離は、断熱材４０の厚み（自然状態での厚み）よりも小さい。そのため、仮に各スタッド３３，３６が壁面方向において同一の位置に並べて配置される場合には、断熱材４０が壁厚み方向に過剰に押しつぶされて断熱性能の低下が懸念される。これに対して、各スタッド３３，３６が壁面方向において互いに相違する位置に千鳥状に配置されているため、断熱材４０が壁厚み方向に過剰に押しつぶされることが抑制されている。
【００４１】
建物１０の施工時における界壁部３０の施工手順を説明する。
【００４２】
床梁１１等の建物１０の躯体が施工された状態で、床梁１１の下フランジ１１ｃに吊りボルト２１を取り付ける。その後、耐火梁としての床梁１１に耐火材１３をまき付ける。このとき、例えば耐火材１３に切れ目を入れておき、その切れ目に吊りボルト２１を通しながら耐火材１３をまき付けるとよい。耐火材１３のまき付け状態では、吊りボルト２１の一部が耐火材１３よりも下方に突出した状態となる。
【００４３】
その後、吊りボルト２１の下端部に支持部材２４を固定する作業を実施する。その固定作業としては、まずは各吊りボルト２１の下端部に、ナット２７，２８によりブラケット２５を固定するとともに、床梁１１の長手方向に沿うようにして複数のブラケット２５に対してビス等により通し材２６を固定する。このとき、ナット２７，２８によるブラケット２５の固定作業も含めて、支持部材２４の固定作業は全て耐火材１３よりも下方で行われるため、その固定作業（高さ調整作業を含む）を容易に実施できる。なお、先に通し材２６において所定間隔で複数のブラケット２５を固定しておき、その後、ブラケット２５と通し材２６との一体物を複数の吊りボルト２１に対して固定することも可能である。
【００４４】
また、耐火材１３よりも下方において、フランジ幅方向の２つの吊りボルト２１の間に挟んだ状態で、床梁１１の長手方向に沿って断熱材２９を配置する。
【００４５】
その後、界壁部３０を構築する。この場合、界壁下地フレーム３１，３４の上ランナ３２ａ，３５ａを通し材２６に対してビス等により固定し、さらに下ランナ３２ｂ，３５ｂやスタッド３３，３６、断熱材４０の施工を行う。そして、界壁下地フレーム３１，３４に対する壁面材３７の固定やシール材３８，３９の充填の作業を行う。こうした一連の作業により、図１に示す界壁構造が構築される。なお、界壁部３０が構築された後に、その左右両側の天井部分が構築される。
【００４６】
また、集合住宅の上階側の玄関付近においては、土間面を形成するべく上下階の境界線（スタッキングラインＳＬ）に対して床面材１２を下げて配置することがあり、かかる場合における界壁構造について説明する。図４は、建物１０において上階玄関付近の界壁部３０の納まりを示す縦断面図である。
【００４７】
図４において、上階用の床梁１１には支持金具５１が固定され、その支持金具５１により床面材１２が支持されている。この場合、図１の構成とは異なり、床面材１２は、床梁１１を挟んで両側に分断されるようにして設けられている。また、床面材１２は、床梁１１の上面をスタッキングラインＳＬとする場合に、そのスタッキングラインＳＬを上下に横切る高さ位置に設けられている。そして、床面材１２の上面側に、モルタル等よりなる土間部５２が形成されている。
【００４８】
また、床梁１１に対しては、横断面の一端側と他端側とがそれぞれ床面材１２の下面側に固定され、その間の中間部分にて床梁１１を囲むようにして、耐火材１３が設けられている。
【００４９】
上階部には、床梁１１の上方に界壁部５３が設けられている。界壁部５３は、下階側の界壁部３０と同様に、ランナ及びスタッドからなる界壁下地フレーム５４ａ，５４ｂと、その外側に固定される壁面材５５とを有している。壁面材５５は、例えば耐火性を有する石膏ボードである。界壁部５３においても、界壁下地フレーム５４ａ，５４ｂが壁厚み方向に２列に設けられた構造となっている。界壁部５３を挟んで対峙する二住戸の間においては、それぞれの土間部５２の間に隙間があり、その隙間内において床面材１２の上面付近まで壁面材５５が入り込む状態となっている。壁面材５５は、その厚み方向において一部が床面材１２からはみ出るように設けられている。
【００５０】
また、図４の構成では、床梁１１の上フランジ１１ｂ及び下フランジ１１ｃを上下に貫通するようにして、吊り金具としての吊りボルト５６が固定され、吊りボルト５６の上端部及び下端部に、界壁支持用の支持部材が固定されている。その構成について以下説明する。
【００５１】
床梁１１のフランジ１１ｂ，１１ｃを上下に貫通するようにして吊りボルト５６を設ける場合、フランジ１１ｂ，１１ｃの間にはナットを介在させることができないため、吊りボルト５６は、床梁１１に対して、上フランジ１１ｂの上面側のナット５７と下フランジ１１ｃの下面側のナット５８とにより固定されている。この場合、図１の構成と同様に、吊りボルト５６の下端部が下フランジ１１ｃの下側において耐火材１３よりも下方に突出しており、その突出部分に、下階界壁支持用の支持部材２４が固定されている。
【００５２】
また、吊りボルト５６の上端部が上フランジ１１ｂの上方に突出しており、その突出部分に、上階界壁支持用の支持部材６１が固定されている。支持部材６１は、基本構成が支持部材２４と同様であり、吊りボルト５６の上端部に固定されるブラケット６２と、床梁１１の長手方向に延び複数のブラケット６２に対して固定される通し材６３とを有している。ブラケット６２は断面Ｌ字状をなし、下板部に吊りボルト５６が挿通状態で固定されるとともに、側板部にビス等の固定具により通し材６３が固定されている。通し材６３は角形鋼よりなる長尺材である。ブラケット６２は、下板部の貫通孔（図示略）に吊りボルト５６を挿通させた状態で、上下のナットにより吊りボルト５６に固定されている。この場合、ナットの回動により、吊りボルト５６の長手方向におけるブラケット６２の位置が調整可能であり、ひいては、支持部材６１の高さ位置の調整が可能となっている。
【００５３】
床梁１１の上フランジ１１ｂにおいて、ウェブ１１ａを挟んで両側の吊りボルト５６にはそれぞれ支持部材６１が固定されており、図４において左右の通し材６３が隣合うように横並びで設けられている。
【００５４】
また特に、床梁１１の上フランジ１１ｂの高さ位置は、床面材１２の上面よりも低い位置にあり、床梁１１の上フランジ１１ｂの上面には、両側の床面材１２の側端面の間に耐火材６５が取り付けられている。耐火材６５は、耐火材１３と同様に、例えばシート状の耐熱ロックウールにより構成されている。この場合、耐火材６５は、少なくとも床梁１１の上面と床面材１２の上面との高さ位置の差分と同じ厚み寸法を有しており、耐火層として、上階側の界壁部５３の壁面材５５と耐火材６５とが連続する構成となっている。
【００５５】
吊りボルト５６の上端部は、上フランジ１１ｂの上方において耐火材６５よりも上方に突出する突出部分となっている。そして、吊りボルト５６において耐火材６５よりも上方の突出部分であって耐火材６５から離れた位置に、上階側の界壁下地フレーム５４ａ，５４ｂを支持する支持部材６１がナットにより固定されている。この場合、吊りボルト５６に対する支持部材６１の固定作業を容易に実施できる。また、吊りボルト５６の上端部において、ナットによる支持部材６１の高さ調整作業も同様に容易に実施できる。
【００５６】
以上詳述した本実施形態によれば、以下の優れた効果が得られる。
【００５７】
上記構成では、床梁１１の下フランジ１１ｃに吊りボルト２１が固定されるとともに、その吊りボルト２１の下端部に、界壁下地フレーム３１，３４を支持する支持部材２４が固定されているため、その支持部材２４を用いての界壁部３０の構築が可能となる。また、吊りボルト２１は、床梁１１の下フランジ１１ｃの下側において耐火材１３よりも下方に突出しており、その突出部分であって耐火材１３から離れた位置に固定具により支持部材２４が固定されるものであるため、床梁１１に対して耐火材１３が既に先付けされている状況であっても、耐火材１３に干渉することなく支持部材２４の固定作業を行うことができる。この場合、吊りボルト２１において耐火材１３よりも下方に突出している突出部分を用いて、支持部材２４の高さ位置の調整等を容易に実施できる。その結果、界壁部３０の施工作業を容易かつ適正に実施することができる。
【００５８】
床梁１１の長手方向に所定間隔で吊りボルト２１を複数固定するとともに、その複数の吊りボルト２１により支持部材２４としての通し材２６を吊り下げ支持する構成とした。この場合、通し材２６により界壁下地フレーム３１，３４を支持することで、床梁１１に沿うようにして界壁部３０を好適に構築できる。
【００５９】
床梁１１の下フランジ１１ｃにおいて幅方向に異なる位置にそれぞれ吊りボルト２１が固定され、それら各々に支持部材２４が固定されるとともに、支持部材２４ごとに界壁下地フレーム３１，３４が支持される構成とした。この場合、界壁部３０の下地を壁厚み方向に二重構造とすることで、界壁部３０の厚みを確保して遮音性の向上を図ることができる。また、厚み方向左右の界壁下地フレーム３１，３４ごとに高さ位置の調整が可能となる。そのため、界壁部３０の厚み方向中心位置を境にして左右で下階側の床面材１４の上面高さ位置が相違していても、それに好適に対処することができる。
【００６０】
床梁１１の下フランジ１１ｃの下側において耐火材１３よりも下方には、左右の吊りボルト２１の間に断熱材２９が配置されている。この場合、界壁部３０において壁厚み方向の中心付近に断熱材２９を保持することができ、床梁１１周りの耐火材１３とその下方の界壁下地フレーム３１，３４との間において断熱性能を好適に付与することができる。
【００６１】
上階玄関部の構成として、床梁１１を上下に貫通するように吊りボルト５６を設け、吊りボルト５６の下端側で下階部の界壁下地フレーム３１，３４を支持するとともに、上端側で上階部の界壁下地フレーム５４ａ，５４ｂを支持する構成とした。この場合、下階界壁部３０の支持と上階界壁部５３の支持とで１つの吊りボルト５６を共用でき、構成の簡素化を図ることができる。
【００６２】
また、吊りボルト５６の上端部は上フランジ１１ｂの上方において耐火材６５よりも上方に突出しており、その突出部分であって耐火材６５から離れた位置に固定具により支持部材６１が固定されるため、吊りボルト５６の下端部と同様に、床梁１１に対して耐火材６５が既に先付けされている状況であっても、耐火材６５に干渉することなく支持部材６１の固定作業を行うことができる。
【００６３】
集合住宅の上階部の玄関床部において、上階の床梁１１を挟んで両側に分断された状態で上階用の床面材１２が設けられる構成では、上階界壁部５３を構築する場合に界壁下地フレーム５４ａ，５４ｂの下端を床面材１２で支えることが不可となる。この点、吊りボルト５６の上端側で上階部の界壁下地フレーム５４ａ，５４ｂが支持されることで、床面材１２が分断された構成であっても上階部の界壁部５３を好適に施工できる。
【００６４】
また、床梁１１の上フランジ１１ｂの上面の耐火材６５が、分断された床面材１２に挟まれ、かつ床面材１２の側端面に接触した状態で設けられているため、床面材１２及び耐火材６５により水平方向に連続する耐火層を構築できる。
【００６５】
［他の実施形態］
本発明は上記実施形態の記載内容に限定されず、例えば次のように実施されてもよい。
【００６６】
・支持部材２４のブラケット２５により、壁面材３７を壁内側から支持する構成としてもよい。具体的には、図５に示すように、界壁部３０において壁面材３７が界壁下地フレーム３１，３４よりも上方に延びており、その壁面材３７と耐火材１３とで連続的に耐火層が形成されている。そして、支持部材２４のブラケット２５が壁面材３７の内側面に当接し、その状態で壁面材３７がブラケット２５により壁内側から支持されている。例えば、ビス等の固定具により壁面材３７に対してブラケット２５が固定されている。また、図１の構成に比べて、左右の通し材２６の間隔が広くなっており、その左右の通し材２６の間に断熱材２９が配設されている。
【００６７】
界壁部３０において壁面材３７と耐火材１３とで連続的に耐火層が形成されているため、界壁部３０における耐火性能を高めることができる。また、界壁部３０において壁面材３７を壁内側から支持部材２４により支持する構成にしたため、界壁下地フレーム３１，３４よりも上方の延出部を含めて壁面材３７を安定状態で支持することができる。また、上下方向において、左右の界壁下地フレーム３１，３４の間の断熱材４０から耐火材１３までの範囲で断熱材２９が設けられるため、界壁部３０の断熱性能を向上させることができる。
【００６８】
・上記実施形態では、床梁１１において厚み方向に２つの吊りボルト２１を固定するとともに、それら吊りボルト２１ごとに界壁下地フレーム５４ａ，５４ｂを設ける構成としたが、これを変更してもよい。例えば、床梁１１において厚み方向に１つの吊りボルト２１を固定するとともに、その吊りボルト２１に１つの界壁下地フレームを設ける構成としてもよい。
【００６９】
・床梁１１の下フランジ１１ｃに対する吊りボルト２１の固定の構成として、下フランジ１１ｃの貫通孔に吊りボルト２１を挿通させて固定する以外の構成を用いてもよい。例えば、床梁１１の下フランジ１１ｃに吊りボルト２１の固定用部材を取り付け、その固定用部材から下方に延びるようにして吊りボルト２１を固定するとよい。
【００７０】
・形鋼は、Ｈ形鋼以外でもよく、例えば断面コ字状の溝形鋼でもよい。この場合、溝形鋼の下フランジにおいて幅方向に異なる位置に第１，第２吊りボルトを固定し、それら各吊りボルトの下端部に支持部材を固定するとよい。
【００７１】
・吊りボルトは、全ねじボルトでなく、両端ねじ切りボルトでもよい。また、吊り金具として吊りボルト以外の部材を用いてもよい。いずれにしても、耐火梁に対して固定可能な上側固定部を有するとともに、それよりも下方（下端部）に、支持部材を固定可能な下側固定部を有する構成とする。また、吊り金具の下端部に、支持部材の高さ位置を調整可能な高さ調整部が設けられているとよい。
【符号の説明】
【００７２】
１０…建物、１１…床梁（耐火梁）、１１ｂ…上フランジ、１１ｃ…下フランジ、１３…耐火材、２１…吊りボルト、２４…支持部材、２５…ブラケット、２６…通し材（長尺材）、２７，２８…ナット（固定具）、３０…界壁部、３１，３４…界壁下地フレーム、５３…界壁部、５４ａ，５４ｂ…界壁下地フレーム、５６…吊りボルト、６１…支持部材、６５…ブラケット、６３…通し材（長尺材）。
【図１】
0006611312.tif 000002
【図２】
0006611312.tif 000003
【図３】
0006611312.tif 000004
【図４】
0006611312.tif 000005
【図５】
0006611312.tif 000006